(57)【要約】【課題】シールドコネクタの電気機器等への取り付けが容易となり、さらにシールド部材と電気機器等との電気的接続を容易に実現することができるシールドコネクタおよびその取付構造を提供する。【解決手段】シールド部材が、内側ハウジングと外側ハウジングとを備えた絶縁性のハウジングの前記内側ハウジングの外周に組み込まれてなるシールドコネクタにおいて、前記内側ハウジングは、前記外側ハウジングの後端面よりさらに後方に延長されたハウジング延長部を備え、前記シールド部材は、前記ハウジング延長部の外周に沿って延長されたシールド延長部を備え、前記ハウジング延長部の外周にはねじ部が形成され、該ねじ部にナットが螺着されることにより該ナットが前記シールド延長部と電気的に接続されるようにする。【選択図】  図２
2004158383.tif 000002
【特許請求の範囲】
【請求項１】
中心導体と外部導体との間に絶縁体が介在されてなるシールドケーブルの接続に用いられシールド部材が、内側ハウジングと外側ハウジングとを備えた絶縁性のハウジングの前記内側ハウジングの外周に組み込まれてなるシールドコネクタにおいて、
前記内側ハウジングは、前記外側ハウジングの後端面よりさらに後方に延長されたハウジング延長部を備え、
前記シールド部材は、前記ハウジング延長部の外周に沿って延長されたシールド延長部を備え、
前記ハウジング延長部の外周にはねじ部が形成され、該ねじ部にナットが螺着されることにより該ナットが前記シールド延長部と電気的に接続されることを特徴とするシールドコネクタ。
【請求項２】
シールド部材が、内側ハウジングと外側ハウジングとを備えた絶縁性のハウジングの前記内側ハウジングの外周に組み込まれてなるシールドコネクタを支持体に取り付けるシールドコネクタの取付構造において、
前記内側ハウジングは、前記外側ハウジングの後端面よりさらに後方に延長されたハウジング延長部を備え、
前記シールド部材は、前記ハウジング延長部の外周に沿って延長されたシールド延長部を備え、
前記ハウジング延長部の外周にはねじ部が形成され、
前記支持体には貫通穴が設けられ、
前記外側ハウジングの後端面と前記支持体の前面との間に防水性介在物が配置されるとともに前記ねじ部が前記支持体の後面側に突出し、前記ねじ部にナットが螺着されて該ナットが前記シールド延長部と電気的に接続されるとともに前記シールドコネクタが前記支持体に固定されることを特徴とするシールドコネクタの取付構造。
【発明の詳細な説明】
【０００１】
【発明の属する技術分野】
本発明は、シールド部材を備えたシールドコネクタおよびその取付構造に関する。
【０００２】
【従来の技術】
内部導体と外部導体との間に絶縁体が介在された構造の配線材、例えばシールドケーブルを接続するために、シールド構造のコネクタ（本明細書では「シールドコネクタ」と表記する。）を用いることが一般的である。
【０００３】
このシールドコネクタは、前記内部導体の先端に端子が接続されたシールドケーブルの端末部を覆うシールド部材（金属シェル）を有する。このシールド部材は、一般に、内側ハウジングと外側ハウジングとを備えた絶縁性のハウジングの内側ハウジングの外周に組み込まれている（特許文献１参照）。
【０００４】
【特許文献１】特開２０００−１００５２３号公報
【０００５】
【発明が解決しようとする課題】
しかし、前述の特許文献１に開示されたシールドコネクタは、電気機器等への取り付けに複数のボルトを要するため、各ボルトの締め付け状態を管理する必要が生じ、作業効率が悪くなることがある。
【０００６】
また、前述の特許文献１に開示されたシールドコネクタは、シールド部材の円周方向に設けられた弾性接触部を電気機器等の取付孔の内面に接触させることにより両者を電気的接続を図っているが、電気機器等の取付孔の寸法が短い場合には弾性接触部が電気機器等の取付孔の内面に接触した状態を保つことが困難となり、両者の電気的接続が良好に行われなくなるという問題点が残る。
【０００７】
そこで、本発明では、シールドコネクタの電気機器等への取り付けが容易となり、さらにシールド部材と電気機器等との電気的接続を容易に実現することができるシールドコネクタおよびその取付構造を提供することを目的とする。
【０００８】
【課題を解決するための手段】
請求項１の発明は、シールド部材が、内側ハウジングと外側ハウジングとを備えた絶縁性のハウジングの前記内側ハウジングの外周に組み込まれてなるシールドコネクタにおいて、前記内側ハウジングは、前記外側ハウジングの後端面よりさらに後方に延長されたハウジング延長部を備え、前記シールド部材は、前記ハウジング延長部の外周に沿って延長されたシールド延長部を備え、前記ハウジング延長部の外周にはねじ部が形成され、該ねじ部にナットが螺着されることにより該ナットが前記シールド延長部と電気的に接続されることを特徴とする。
【０００９】
請求項２の発明は、シールド部材が、内側ハウジングと外側ハウジングとを備えた絶縁性のハウジングの前記内側ハウジングの外周に組み込まれてなるシールドコネクタを支持体に取り付けるシールドコネクタの取付構造において、前記内側ハウジングは、前記外側ハウジングの後端面よりさらに後方に延長されたハウジング延長部を備え、前記シールド部材は、前記ハウジング延長部の外周に沿って延長されたシールド延長部を備え、前記ハウジング延長部の外周にはねじ部が形成され、前記支持体には貫通穴が設けられ、前記外側ハウジングの後端面と前記支持体の前面との間に防水性介在物が配置されるとともに前記ねじ部が前記支持体の後面側に突出し、前記ねじ部にナットが螺着されて該ナットが前記シールド延長部と電気的に接続されるとともに前記シールドコネクタが前記支持体に固定されることを特徴とする。
【００１０】
【発明の実施の形態】
本発明の実施形態を、図面を用いて説明する。
【００１１】
図１は、本発明のシールドコネクタの一例を概略的に示す斜視図であり、図２は、本発明のシールドコネクタの取付構造の一例を概略的に示す断面斜視図であり、図３は図２の一部を拡大した断面斜視図である。
【００１２】
図１において、シールド部材１は、内側ハウジング２と外側ハウジング３との間である内側ハウジング２の外周に組み込まれている。外側ハウジング３には、図示しない相手側コネクタを固定するための固定部３ａが設けられている。内側ハウジング２の中心付近には、中心導体４が貫通している。中心導体４の後部には、電線等を接続する貫通穴４ａが設けられている。内側ハウジング２は、外側ハウジング３の後端面よりさらに後方に延長されたハウジング延長部５を備え、このハウジング延長部５の外周にはねじ部５ａが形成されている。また、前述のシールド部材１は、ハウジング延長部５の外周に沿って延長されたシールド延長部１ａ（図２参照）を備える。
【００１３】
ハウジング延長部５は、シールドコネクタを固定支持する支持体６に設けられた貫通穴６ａに貫通され、ねじ部５ａが支持体６の後面側に突出する。ねじ部５ａにはナット７が螺着されることで、ハウジング延長部５ａが支持体６に固定される。また、ナット７には拡径部７ａが設けられているが、これはシールド部材１のうちハウジング延長部５の外周に沿って延長されたシールド延長部１ａ（図２参照）を収容して接触させるためのものである。
【００１４】
図２および図３において、シールド部材１は、ハウジング延長部５の外周に沿って延長されたシールド延長部１ａを備えている。このように、ねじ部５ａにナット７が螺着されていることにより、シールド延長部１ａはナット７の拡径部７ａに収容され、シールド延長部１ａがナット７を介して支持体６と電気的に接続されるとともに、ハウジング延長部５が支持体６に固定される。
【００１５】
また、図２および図３において、外側ハウジング３の後端面側には防水パッキン３ｂが設けられており、シールドコネクタ取付部の防水性を高めている。なお、シールドコネクタ取付部の防水性を高める手段は図２および図３に示されたものに限らず、外側ハウジング３の後端面と支持体６の前面との間に防水性介在物が配置されていれば、シールドコネクタ取付部の防水性を高めることは十分可能である。
【００１６】
本実施形態によれば、シールドコネクタの支持体（電気機器等）への取り付けが容易となり、さらにシールド部材と支持体（電気機器等）との電気的接続を容易に実現することができるが、本発明の実施形態は上述したものに限らず、特許請求の範囲に記載された事項の範囲内で適宜変更が可能であることはいうまでもない。
【００１７】
【発明の効果】
以上のとおり、本発明のシールドコネクタは、内側ハウジングは外側ハウジングの後端面よりさらに後方に延長されたハウジング延長部を備え、シールド部材はハウジング延長部の外周に沿って延長されたシールド延長部を備え、ハウジング延長部の外周にはねじ部が形成され、ねじ部にナットが螺着されることによりナットが前記シールド延長部と電気的に接続されるため、シールドコネクタの支持体への取り付けが容易となり、さらにシールド部材と支持体との電気的接続を容易に実現することができる。
【００１８】
また、本発明のシールドコネクタの取付構造は、上記コネクタを支持体に取り付けるにあたり、支持体に設けられた貫通穴にハウジング延長部が貫通し、外側ハウジングの後端面と支持体の前面との間に防水性介在物が配置されるとともにハウジング延長部のねじ部が支持体の後面側に突出し、ねじ部にナットが螺着されてナットがシールド延長部と電気的に接続されるとともにシールドコネクタが支持体に固定されるため、シールドコネクタ取付部の防水性を高めることができ、シールドコネクタの支持体への取り付けが容易となり、さらにシールド部材と支持体との電気的接続を容易に実現することができる。
【図面の簡単な説明】
【図１】本発明のシールドコネクタの一例を概略的に示す斜視図である。
【図２】本発明のシールドコネクタの取付構造の一例を概略的に示す断面斜視図である。
【図３】図２の一部を拡大した断面斜視図である。
【符号の説明】
１  シールド部材
１ａ  シールド延長部
２  内側ハウジング
３  外側ハウジング
３ａ  固定部
３ｂ  防水パッキン
４  中心導体
４ａ  貫通穴
５  ハウジング延長部
５ａ  ねじ部
６  支持体
６ａ  貫通穴
７  ナット
７ａ  拡径部
【図１】
2004158383.tif 000003
【図２】
2004158383.tif 000004
【図３】
2004158383.tif 000005